(57)【要約】【課題】照明器具とコントローラとのペアリング設定を効率的に行うことができる照明システム等を提供する。【解決手段】照明システム１００の複数の照明器具の各々は、互いに異なるアドレスを有する。設定装置３０は、第一の送信電力でアドレスの返信要求信号を送信する通信部３０ａと、アドレスの返信要求を受信した１以上の照明器具（例えば照明器具１〜ｋ）から返信されたアドレスの合計数である返信アドレス数が目標範囲数以内であるか否かを判断する制御部３０ｃとを備える。制御部３０ｃは、返信アドレス数が目標範囲数以内でない場合に、通信部３０ａに対して、第一の送信電力と異なる送信電力で返信要求信号を送信するように指示し、返信アドレス数が目標範囲数以内である場合に、返信要求に応答した１以上の照明器具１〜ｋと無線コントローラとにペアリングを実行させる。【選択図】図４
2019032943.tif 000002
【特許請求の範囲】
【請求項１】
複数の照明器具と、前記複数の照明器具と無線通信する無線コントローラと、前記複数の照明器具と無線通信する設定装置とを備え、
前記複数の照明器具の各々は、互いに異なるアドレスを有し、
前記設定装置は、第一の送信電力でアドレスの返信要求信号を送信する通信部と、前記アドレスの返信要求を受信した１以上の前記照明器具から返信された前記アドレスの合計数である返信アドレス数が目標範囲数以内であるか否かを判断する制御部とを備え、
前記制御部は、前記返信アドレス数が目標範囲数以内でない場合に、前記通信部に対して、前記第一の送信電力と異なる第二の送信電力で前記返信要求信号を送信するように指示し、前記返信アドレス数が目標範囲数以内である場合に、前記返信要求に応答した１以上の前記照明器具と前記無線コントローラとにペアリングを実行させる
照明システム。
【請求項２】
前記制御部は、前記返信アドレス数が目標範囲数よりも大きい場合に、前記第二の送信電力を前記第一の送信電力よりも小さくして前記返信要求信号を送信するように指示する
請求項１に記載の照明システム。
【請求項３】
前記制御部は、前記返信アドレス数が目標範囲数以内である場合に、前記返信要求に応答した１以上の前記照明器具の位置と、１以上の前記照明器具から返信された前記アドレスとの関連付けを行う入力を受け付けた後、前記通信部を介して１以上の前記照明器具に前記無線コントローラとのペアリングを指示する
請求項１または２に記載の照明システム。
【請求項４】
前記制御部は、前記複数の照明器具のうち前記ペアリングが実行されていない照明器具に対して１回目の前記返信要求を行う場合に、予め決められた規定値の送信電力で、前記返信要求信号を送信するように前記通信部に指示する
請求項１〜３のいずれか１項に記載の照明システム。
【請求項５】
前記制御部は、前記複数の照明器具のうち前記ペアリングが実行されていない照明器具に対して１回目の前記返信要求を行う場合に、前記返信アドレス数が目標範囲数以内になった過去の送信電力と同じ送信電力で、前記返信要求信号を送信するように前記通信部に指示する
請求項１〜３のいずれか１項に記載の照明システム。
【請求項６】
前記制御部は、前記複数の照明器具のうち前記ペアリングが実行されていない照明器具に対して１回目の前記返信要求を行う場合に、予め保有している前記照明システムの敷設情報と、前記返信アドレス数を目標範囲数以内とするために必要な送信電力との関係を示す関係式に、現状の前記照明システムの敷設情報を入力することで求めた送信電力で、前記返信要求信号を送信するように前記通信部に指示する
請求項１〜３のいずれか１項に記載の照明システム。
【請求項７】
前記制御部は、入力した前記照明システムの敷設情報と、前記返信アドレス数が目標範囲数以内になった際の前記送信電力との実績に基づいて、前記関係式を更新する
請求項６に記載の照明システム。
【請求項８】
前記制御部は、前記複数の照明器具のうち前記ペアリングが実行されていない照明器具に対して１回目の前記返信要求を行う場合に、予め保有している前記返信アドレス数の目標数と、前記返信アドレス数を目標数とするために必要な送信電力との関係を示す関係式に、希望する目標数を入力することで求めた送信電力で、前記返信要求信号を送信するように前記通信部に指示する
請求項１〜３のいずれか１項に記載の照明システム。
【請求項９】
前記制御部は、入力した前記目標数と、前記返信アドレス数が目標範囲数以内になった際の前記送信電力との実績に基づいて、前記関係式を更新する
請求項８に記載の照明システム。
【請求項１０】
前記照明器具は、前記返信要求信号を受信する通信部と、前記返信要求信号の電波強度がしきい値以上であるか否かを判断する制御部とを備え、
前記照明器具の制御部は、前記電波強度が前記しきい値以上である場合に、前記照明器具の通信部を介して、前記アドレスを前記設定装置に返信する
請求項１〜９のいずれか１項に記載の照明システム。
【請求項１１】
互いに異なるアドレスを有する複数の照明器具と無線コントローラとのペアリングを実行させる設定装置であって、
第一の送信電力でアドレスの返信要求信号を無線で送信する通信部と、前記アドレスの返信要求を受信した１以上の前記照明器具から返信された前記アドレスの合計数である返信アドレス数が目標範囲数以内であるか否かを判断する制御部とを備え、
前記制御部は、前記返信アドレス数が目標範囲数以内でない場合に、前記通信部に対して、前記第一の送信電力と異なる第二の送信電力で前記返信要求信号を送信するように指示し、前記返信アドレス数が目標範囲数以内である場合に、前記返信要求に応答した１以上の前記照明器具と前記無線コントローラとにペアリングを実行させる
設定装置。
【請求項１２】
各々異なるアドレスを有する複数の照明器具と、前記複数の照明器具と無線通信する無線コントローラと、前記複数の照明器具と無線通信する設定装置とを備える照明システムのペアリング方法であって、
前記設定装置から第一の送信電力でアドレスの返信要求信号を送信し、
前記複数の照明器具のうち前記アドレスの返信要求を受信した１以上の照明器具は、自身の前記アドレスを前記設定装置に返信し、
前記設定装置は、返信された前記アドレスの合計数である返信アドレス数が目標範囲数以内でない場合に、前記第一の送信電力と異なる第二の送信電力で前記返信要求信号を送信し、前記返信アドレス数が目標範囲数以内である場合に、前記返信要求に応答した１以上の前記照明器具に前記無線コントローラとのペアリングを指示し、
前記ペアリングの指示を受けた１以上の前記照明器具は、前記無線コントローラとのペアリングを実行する
照明システムのペアリング方法。
【発明の詳細な説明】
【技術分野】
【０００１】
本発明は、照明器具とコントローラとのペアリングを実行させるための設定装置、この設定装置を備える照明システム、および、照明システムのペアリング方法に関する。
【背景技術】
【０００２】
従来、複数の照明器具と、複数の照明器具と通信するコントローラとを備える照明システムが知られている（特許文献１参照）。この種の照明システムでは、複数の照明器具およびコントローラが建物の造営材等に設置された後、設定装置を用いて各照明器具とコントローラとのペアリング設定が行われる。
【先行技術文献】
【特許文献】
【０００３】
【特許文献１】特開２０１７−１６９８５号公報
【発明の概要】
【発明が解決しようとする課題】
【０００４】
しかしながら従来の照明システムでは、設定装置を用いて各照明器具とコントローラとのペアリング設定を行う作業に多大な労力を有する場合がある。
【０００５】
そこで、本発明は、照明器具とコントローラとのペアリング設定を効率的に行うことができる照明システム等を提供することを目的とする。
【課題を解決するための手段】
【０００６】
本発明の照明システムの一態様は、複数の照明器具と、前記複数の照明器具と無線通信する無線コントローラと、前記複数の照明器具と無線通信する設定装置とを備え、前記複数の照明器具の各々は、互いに異なるアドレスを有し、前記設定装置は、第一の送信電力でアドレスの返信要求信号を送信する通信部と、前記アドレスの返信要求を受信した１以上の前記照明器具から返信された前記アドレスの合計数である返信アドレス数が目標範囲数以内であるか否かを判断する制御部とを備え、前記制御部は、前記返信アドレス数が目標範囲数以内でない場合に、前記通信部に対して、前記第一の送信電力と異なる第二の送信電力で前記返信要求信号を送信するように指示し、前記返信アドレス数が目標範囲数以内である場合に、前記返信要求に応答した１以上の前記照明器具と前記無線コントローラとにペアリングを実行させる。
【０００７】
本発明の設定装置の一態様は、互いに異なるアドレスを有する複数の照明器具と無線コントローラとのペアリングを実行させる設定装置であって、第一の送信電力でアドレスの返信要求信号を無線で送信する通信部と、前記アドレスの返信要求を受信した１以上の前記照明器具から返信された前記アドレスの合計数である返信アドレス数が目標範囲数以内であるか否かを判断する制御部とを備え、前記制御部は、前記返信アドレス数が目標範囲数以内でない場合に、前記通信部に対して、前記第一の送信電力と異なる第二の送信電力で前記返信要求信号を送信するように指示し、前記返信アドレス数が目標範囲数以内である場合に、前記返信要求に応答した１以上の前記照明器具と前記無線コントローラとにペアリングを実行させる。
【０００８】
本発明の照明システムのペアリング方法の一態様は、各々異なるアドレスを有する複数の照明器具と、前記複数の照明器具と無線通信する無線コントローラと、前記複数の照明器具と無線通信する設定装置とを備える照明システムのペアリング方法であって、前記設定装置から第一の送信電力でアドレスの返信要求信号を送信し、前記複数の照明器具のうち前記アドレスの返信要求を受信した１以上の照明器具は、自身の前記アドレスを前記設定装置に返信し、前記設定装置は、返信された前記アドレスの合計数である返信アドレス数が目標範囲数以内でない場合に、前記第一の送信電力と異なる第二の送信電力で前記返信要求信号を送信し、前記返信アドレス数が目標範囲数以内である場合に、前記返信要求に応答した１以上の前記照明器具に前記無線コントローラとのペアリングを指示し、前記ペアリングの指示を受けた１以上の前記照明器具は、前記無線コントローラとのペアリングを実行する。
【発明の効果】
【０００９】
照明システムにおいて、照明器具とコントローラとのペアリング設定を効率的に行うことができる。
【図面の簡単な説明】
【００１０】
【図１】比較例における照明システムを示す概略図である。
【図２】実施の形態１に係る照明システムであって、照明システムが備える照明器具、無線コントローラおよび設定装置を示す概略図である。
【図３】実施の形態１に係る照明システムの構成を示すブロック図である。
【図４】実施の形態１に係る照明システムのペアリング方法を示すフローチャートである。
【図５】実施の形態１に係る照明システムのペアリング方法の一例を示すシーケンス図である。
【図６Ａ】実施の形態１の設定装置を用いて、第一の電波送信電力で照明器具に信号を送信する様子を示す図である。
【図６Ｂ】実施の形態１の設定装置を用いて、第一の電波送信電力とは異なる第二の電波送信電力で照明器具に信号を送信する様子を示す図である。
【図７】実施の形態１の照明システムにおける電波送信電力および返信アドレス数の一例を示す図である。
【図８】実施の形態１の照明システムにおいて、照明器具の位置と照明器具のアドレスとの関連付けを行う一例を示す図である。
【図９】実施の形態１の変形例１における電波送信電力および返信アドレス数の一例を示す図である。
【図１０】実施の形態１の変形例２における電波送信電力および返信アドレス数の一例を示す図である。
【図１１Ａ】実施の形態１の変形例３の設定装置を用いて、第一の電波送信電力で照明器具に信号を送信する様子を示す図である。
【図１１Ｂ】実施の形態１の変形例３における電波送信電力および返信アドレス数の一例を示す図である。
【図１２】実施の形態２に係る照明システムのペアリング方法の一例を示すシーケンス図である。
【図１３】実施の形態２の設定装置に表示される照明システムの敷設情報を示す図である。
【図１４】実施の形態２における照明システムの敷設情報と電波送信電力との関係式を示す図である。
【図１５】実施の形態２の照明システムにおける電波送信電力および返信アドレス数の一例を示す図である。
【図１６】実施の形態２の変形例における返信アドレス数の目標数と電波送信電力との関係式を示す図である。
【図１７】実施の形態２の変形例の照明システムにおける電波送信電力および返信アドレス数の一例を示す図である。
【図１８】実施の形態３に係る照明システムのペアリング方法の一例を示すシーケンス図である。
【図１９】実施の形態３の照明システムにおいて、敷設情報に基づく電波送信電力と実際の返信アドレス数との実績から実施の形態２の関係式を更新する例を示す図である。
【図２０】実施の形態３の変形例の照明システムにおいて、返信アドレス数の目標数に基づく電波送信電力と実際の返信アドレス数との実績から実施の形態２の変形例の関係式を更新する例を示す図である。
【図２１】実施の形態４に係る照明システムのペアリング方法の一例を示すシーケンス図である。
【図２２】実施の形態４の照明システムにおける電波送信電力および返信アドレス数の一例を示す図である。
【発明を実施するための形態】
【００１１】
まず、本発明の実施の形態を説明する前に、比較例における照明システム５００について説明する。図１は、比較例における照明システム５００を示す概略図である。
【００１２】
比較例の照明システム５００は、複数の照明器具１、２、３、・・、ｎ（ｎは３より大きい自然数）と、複数の照明器具１〜ｎと無線通信する無線コントローラ２０と、複数の照明器具１〜ｎと無線通信する設定装置５３０とを備えている。照明器具１〜ｎは、建物の造営材である天井などに１００台以上設置されることがある。
【００１３】
照明器具１〜ｎが設置された直後は、各照明器具１〜ｎと無線コントローラ２０とのペアリングが確立されていない。そこで、各照明器具１〜ｎと無線コントローラ２０とのペアリング設定を行い、無線コントローラ２０を介して各照明器具１〜ｎを点灯制御できる状態にする必要がある。なお、ペアリングとは、通信対象とする機器同士が相手のアドレスを互いに保存することであり、ペアリング設定とは、照明器具等を造営材に設置してからペアリングを終えるまでに必要な作業を含む。
【００１４】
ペアリング設定を行う設定者は、例えば図１に示すように、設定装置５３０を用いて、複数の照明器具１〜ｎに対して各照明器具１〜ｎのアドレスを返信するように要求する返信要求信号を一斉送信する。この信号を受信した各照明器具１〜ｎは、自身のアドレスを設定装置５３０に返信する。次に、設定者は、設定装置５３０を用いて、照明器具１〜ｎから返信された複数のアドレスの中から１つのアドレスを選択し、選択した１つのアドレスに対応する照明器具を点滅させる。これにより設定者は、選択した上記照明器具のアドレスと、建物内における上記照明器具の位置との関係を把握し、設定装置５３０上にて両者の関連付けを行った後、上記照明器具と無線コントローラとのペアリングを行う。
【００１５】
しかしながら、複数の照明器具１〜ｎに上記返信要求信号を送信する際、設定装置５３０から遠く離れている照明器具ｎにまで上記返信要求信号が届くと、返信されるアドレス数が多くなり、照明器具のアドレスと点滅している照明器具の位置との関係を正確に把握することが困難となる場合がある。例えば、遠くで点滅している照明器具の位置を確認するためには、設定者が遠くに位置する照明器具まで移動しなければならず、多大な労力が発生する。
【００１６】
本実施の形態の照明システム等は、以下に示す構成を有することで、複数の照明器具１〜ｎと無線コントローラ２０とのペアリング設定を効率的に行うことができる。
【００１７】
以下、実施の形態に係る照明システム、設定装置および照明システムのペアリング方法について、図面を参照しながら説明する。なお、以下に説明する実施の形態は、いずれも本発明の好ましい一具体例を示すものである。したがって、以下の実施の形態で示される、数値、形状、材料、構成要素、構成要素の配置位置および接続形態などは、一例であって本発明を限定する主旨ではない。よって、以下の実施の形態における構成要素のうち、本発明の最上位概念を示す独立請求項に記載されていない構成要素については、任意の構成要素として説明される。なお、各図は、模式図であり、必ずしも厳密に図示されたものではない。また、各図において、実質的に同一の構成に対しては同一の符号を付しており、重複する説明は省略または簡略化する。
【００１８】
（実施の形態１）
［１−１．照明システムの全体構成］
図２を参照しながら、実施の形態１に係る照明システム１００の全体構成について説明する。図２は、照明システム１００を示す概略図である。
【００１９】
照明システム１００は、複数の照明器具１、・・、ｋ、ｋ＋１、・・、ｎ（ｋは自然数。ｎはｋ＋１より大きい自然数）と、複数の無線コントローラ２０、２１と、設定装置３０とを備えている。複数の照明器具１〜ｎは、建物の造営材である天井などに１００台以上設置されることがある。
【００２０】
照明器具１〜ｎと設定装置３０とは、無線ｒ１によって通信可能となっている。無線ｒ１による通信方式としては、例えば、９２０ＭＨｚ帯または２．４ＧＨｚ帯の周波数を利用した特定小電力無線、Zigbee（登録商標）、Bluetooth（登録商標）、または、ＷｉＦｉ（登録商標）などの方式が用いられる。
【００２１】
照明器具１〜ｎと無線コントローラ２０、２１とは、無線ｒ２によって通信可能となっている。無線ｒ２による通信方式としては、無線ｒ１と同様の方式が用いられる。
【００２２】
設定装置３０と無線コントローラ２０、２１とは、無線ｒ３によって通信可能となっている。無線ｒ３による通信方式としては、無線ｒ１と同様の方式が用いられる。
【００２３】
なお、照明システム１００は、複数の無線コントローラ２０、２１を統括する上位コントローラをさらに備え、上位コントローラと設定装置３０とが無線ｒ３で通信可能となっていてもよい。また、設定装置３０は、上記無線ｒ１の他に、例えば赤外線通信によって照明器具１と通信可能であってもよい。
【００２４】
［１−２．照明システムの各構成］
図３を参照しながら、照明システム１００の各構成について説明する。図３は、照明システム１００の構成を示すブロック図である。ここでは、複数の照明器具１〜ｎのうち、照明器具１を代表例に挙げて説明する。また、複数の無線コントローラ２０、２１のうち無線コントローラ２０を代表例に挙げて説明する。
【００２５】
照明器具１は、例えば、ＬＥＤ（light  emitting  diode）ライトである。照明器具１は、通信部１０ａと、点灯部１０ｄと、通信部１０ａおよび点灯部１０ｄに接続された制御部１０ｃとを備えている。
【００２６】
点灯部１０ｄは、例えば、白色光、赤色光、緑色光または青色光を発する複数の発光ダイオードなどの光源を含む。
【００２７】
制御部１０ｃは、ＣＰＵ（central  processing  unit）、ＲＡＭ（random  access  memory）およびＲＯＭ（read  only  memory）などにより構成される。制御部１０ｃには、照明器具１の識別子として、ＭＡＣアドレス（media  access  control  address）などのアドレスが記憶されている。ペアリング終了後、制御部１０ｃは、例えば無線コントローラ２０から送信された指示に基づいて点灯部１０ｄの点灯状態を制御する。
【００２８】
通信部１０ａは、アンテナおよび無線モジュールなどにより構成されている。通信部１０ａは、無線ｒ１によって設定装置３０と通信し、無線ｒ２によって無線コントローラ２０と通信する。通信部１０ａは、設定装置３０から送信されたアドレスの返信要求信号を受信する。アドレスの返信要求信号とは、照明器具１〜ｎ自身が保有するアドレスを設定装置３０に返信するように要求する信号である。
【００２９】
制御部１０ｃは、通信部１０ａがアドレスの返信要求信号を受信した場合、通信部１０ａを介して、照明器具１自身のアドレスを設定装置３０に返信する。通信部１０ａが返信要求信号を受信しなかった場合は、アドレスの返信は行われない。
【００３０】
無線コントローラ２０は、例えば、無線アダプタなどの無線アクセス機器である。無線コントローラ２０は、通信部２０ａと、通信部２０ａに接続された制御部２０ｃとを備えている。
【００３１】
通信部２０ａは、アンテナおよび無線モジュールなどにより構成されている。通信部２０ａは、無線ｒ２によって照明器具１と通信し、無線ｒ３によって設定装置３０と通信する。
【００３２】
制御部２０ｃは、ＣＰＵ、ＲＡＭおよびＲＯＭなどにより構成されている。制御部２０ｃには、ＭＡＣアドレスなど、無線コントローラ２０の識別情報が記憶されている。制御部２０ｃは、例えば照明器具１から送信されたペアリング要求に基づいて、照明器具１とのペアリングを行う。
【００３３】
設定装置３０は、例えばタブレットＰＣなどの操作端末である。設定装置３０は、通信部３０ａと、表示入力部３０ｄと、通信部３０ａおよび表示入力部３０ｄに接続された制御部３０ｃとを備えている。
【００３４】
表示入力部３０ｄは、例えばタッチパネルであり、ペアリング作業を行う設定者の入力を受け付ける部分であり、また、照明器具１〜ｎのレイアウトおよびアドレス等を表示する部分である。この表示入力部３０ｄにおいて、後述するように、照明器具１〜ｎの位置とアドレスとの関連付けが行われる。
【００３５】
通信部３０ａは、無線ｒ１によって照明器具１と通信し、無線ｒ３によって無線コントローラ２０と通信する。本実施の形態において、通信部３０ａは、所定の送信電力で複数の不特定の照明器具１〜ｎに、アドレスの返信要求信号（以下、単に返信要求信号と呼ぶ場合がある）を送信する。
【００３６】
制御部３０ｃは、返信要求信号の送信電力を変更する送信電力変更部３０ｂを有している。例えば、送信電力変更部３０ｂは、電波送信時の送信電力（以下、電波送信電力と呼ぶ場合がある）を０〜２０ｍＷの範囲で変更することができる。例えば、送信電力変更部３０ｂは、送信電力を小さくすることで、返信要求信号を受信する照明器具の数を減らし、送信電力を大きくすることで、返信要求信号を受信する照明器具の数を増やすことができる（図６Ａおよび図６Ｂ参照）。
【００３７】
制御部３０ｃは、ＣＰＵ、ＲＡＭおよびＲＯＭなどを備えている。制御部３０ｃには、照明器具１〜ｎから返信されるアドレスの合計数である返信アドレス数の目標範囲が保存されている。返信アドレス数の目標範囲は、設定者が各照明器具の位置とアドレスとを容易に対応づけることができる数として、例えば、１個以上３個以下に設定される。また、制御部３０ｃには、建物における照明器具１〜ｎのレイアウト情報および無線コントローラ２０のアドレスが、予め保存されている。
【００３８】
制御部３０ｃは、照明器具１〜ｎから返信された返信アドレス数が上記目標範囲数以内であるか否かを判断する。
【００３９】
そして制御部３０ｃは、返信アドレス数が目標範囲数以内でない場合に、通信部３０ａに対して、前回送信した送信電力と異なる送信電力で複数の照明器具に返信要求信号を送信するように指示する。例えば制御部３０ｃは、返信アドレス数が目標範囲よりも多い場合は、前回よりも小さな送信電力で再び返信要求信号を送信させ、返信アドレス数が目標範囲よりも少ない場合は、前回よりも大きな送信電力で再び返信要求信号を送信させる。制御部３０ｃは、返信アドレス数が目標範囲数以内に収まるまで、送信電力を繰り返し変更して送信させる（図４のＳ１４参照）。
【００４０】
また、制御部３０ｃは、返信アドレス数が目標範囲数以内である場合に、返信要求に応答した照明器具（例えば照明器具１〜ｋ）と無線コントローラ２０とのペアリングを実行させる。具体的には、制御部３０ｃは、照明器具１〜ｋのアドレスをマッピングする入力を受け付けた後に、上記ペアリングを実行させる。ここでマッピングとは、返信要求に応答した照明器具１〜ｋの位置と、照明器具１〜ｋから返信されたアドレスとの関連付けを行うことであり、例えば、表示入力部３０ｄに示された照明器具のアドレスを、同じく表示入力部３０ｄに表示されている照明器具のマークに一致させることで入力される（図８参照）。制御部３０ｃは、この入力を受け付け、照明器具１〜ｋの位置とアドレスとの関連付けを行った後、通信部３０ａを介して照明器具１〜ｋに無線コントローラ２０とのペアリングを指示する。
【００４１】
照明システム１００は、上記構成を有することで、複数の照明器具１〜ｎと無線コントローラ２０とのペアリング設定を効率的に行うことができる。
【００４２】
［１−３．照明システムのペアリング方法］
図４〜図８を参照しながら、照明システム１００のペアリング方法について説明する。図４は、照明システム１００のペアリング方法を示すフローチャートである。図５は、照明システム１００のペアリング方法の一例を示すシーケンス図である。図６Ａは、照明システム１００において、第一の電波送信電力で返信要求信号を送信する様子を示す図であり、図６Ｂは、第一の電波送信電力とは異なる第二の電波送信電力で返信要求信号を送信する様子を示す図である。
【００４３】
まず、設定装置３０を照明器具１〜ｋの付近に移動させる（図６Ａ参照）。なお、照明器具１〜ｎは、まだペアリングが実行されていない。
【００４４】
次に、図４および図５に示すように、返信要求信号を送信する際の電波送信電力を決定する（Ｓ１１）。設定装置３０の制御部３０ｃは、複数の照明器具１〜ｎに対して１回目の返信要求を行う場合に、第一の電波送信電力で返信要求信号を送信するように通信部３０ａに指示する。本実施の形態における電波送信電力は、予め決められた規定値の送信電力であり、例えば、送信可能な電力の最大値である２０ｍＷに決められている。
【００４５】
次に、ステップＳ１１で決めた電波送信電力で、照明器具１〜ｎにアドレスの返信要求信号を送信する（Ｓ１２）。このアドレスの返信要求は、図６Ａに示すように、設定装置３０から複数の不特定の照明器具１〜ｎに向けてブロードキャストで送信される。
【００４６】
複数の照明器具１〜ｎのうち返信要求信号を受信した各照明器具１〜ｎは、自身のアドレスを設定装置３０に返信し、設定装置３０の制御部３０ｃは、照明器具１〜ｎからの応答を受信する（Ｓ１３）。
【００４７】
設定装置３０の制御部３０ｃは、照明器具１〜ｎから返信されたアドレスの合計である返信アドレス数をカウントし、返信アドレス数が目標範囲数以内であるか否かを判断する（Ｓ１４）。返信アドレス数の目標範囲は、例えば１以上ｋ以下であり、本実施の形態では１以上３以下に設定されている。
【００４８】
上記のステップＳ１４の場合、返信アドレス数がｎ個であり目標範囲（１〜ｋ個）内でないため（Ｓ１４のＮｏ）、ステップＳ１１に戻って、再び返信要求時の電波送信電力を決定する（Ｓ１１）。具体的には、返信アドレス数が目標範囲よりも多いので、前回送信した電波送信電力（第一の電波送信電力）よりも、今回送信する電波送信電力（第二の電波送信電力）が小さくなるように決定する。
【００４９】
次に、ステップＳ１１で再決定した電波送信電力で、照明器具にアドレスの返信要求信号を送信する（Ｓ１２）。このアドレスの返信要求も、複数の照明器具に向けてブロードキャストで送信される。この返信要求信号は、前回よりも電波送信電力が小さいので、図６Ｂに示すように、遠くに位置する照明器具ｋ＋１〜ｎには届かず、近くに位置する照明器具１〜ｋについてのみ届くようになっている。
【００５０】
複数の照明器具１〜ｎのうち返信要求信号を受信した各照明器具１〜ｋは、自身のアドレスを設定装置３０に返信し、設定装置３０の制御部３０ｃは、照明器具１〜ｋからの応答を受信する（Ｓ１３）。
【００５１】
次に、設定装置３０の制御部３０ｃは、返信アドレス数をカウントし、返信アドレス数が目標範囲数以内であるか否かを判断する（Ｓ１４）。今回は、返信アドレス数がｋ個であり目標範囲（１〜ｋ個）内であるため（Ｓ１４のＹｅｓ）、ステップＳ１１には戻らず次のステップＳ１５に進む。
【００５２】
ここで図７を参照しながら、返信アドレス数が目標範囲数以内に収まるまで電波送信電力を段階的に小さくする例について説明する。図７は、照明システム１００における電波送信電力および返信アドレス数の一例を示す図である。
【００５３】
図７に示すように、１回目に返信要求を行うときは、送信可能な電力の最大値である２０ｍＷの電波送信電力で返信要求信号を送る。この場合、照明器具からの返信アドレス数は３０個であり、目標範囲（目標数＝１〜３個）内でないためＮＧ判定される。次に、２回目、３回目、４回目、５回目と回数を重ねるごとに電波送信電力を段階的に小さくする。この例では、５回目に０．３ｍＷの電波送信電力で返信要求信号を送ったときに、返信アドレス数が目標範囲数以内となってＧ判定されている。なお、これらのＧまたはＮＧの判定および電波送信電力の変更は、制御部３０ｃによって自動で行われる。
【００５４】
図４および図５に示すように、返信アドレス数が目標範囲数以内であると判定されると、照明器具１〜ｋに対するアドレスのマッピングが行われる（Ｓ１５）。具体的には、返信要求に応答した照明器具１〜ｋの位置と、照明器具１〜ｋから返信されたアドレスとの関連付けが行われる。
【００５５】
図８は、照明システム１００において、照明器具の位置と照明器具のアドレスとの関連付けを行う一例を示す図である。図８では、建物内における照明器具１〜ｎのレイアウトと、複数の照明器具１〜ｎのうちいずれかの照明器具から返信された返信アドレス「ＸＸＸ、ＹＹＹ、ＺＺＺ」とが、設定装置３０の表示入力部３０ｄに表示されている。
【００５６】
例えば、図８のａに示すように表示入力部３０ｄに表示されているアドレス「ＸＸＸ」を選択する。次に、図８のｂに示すように「点滅」アイコンを押下することで、選択した照明器具に点滅指令が送信され、アドレス「ＸＸＸ」を有する照明器具が点滅する。この点滅した照明器具の位置を目視確認することで、アドレス「ＸＸＸ」に該当する照明器具が、表示入力部３０ｄ上のどの照明器具に該当するのかを認識することができる。次に、図８のｃに示すように、点滅している照明器具の位置に対応する、表示入力部３０ｄ上の照明器具（例えば照明器具１）のマークにタッチすることで、照明器具１の位置とアドレス「ＸＸＸ」とを関連付ける。これにより、照明器具１についてのアドレス「ＸＸＸ」のマッピングが終了する。
【００５７】
次に、アドレス「ＸＸＸ」を有する照明器具１にペアリング指示を送信する（Ｓ１６）。このペアリング指示に関する信号は、設定装置３０の制御部３０ｃから照明器具１に対してユニキャストで送信される。また、ペアリング指示の信号とともに、ペアリング相手となる無線コントローラ２０のアドレスが同時に送信される。なお、複数の無線コントローラ２０、２１のうちどの無線コントローラをペアリング相手とするかは、表示入力部３０ｄに表示された無線コントローラ２０、２１のレイアウト等から判断し選択される。
【００５８】
ペアリング指示を送信された照明器具１は、無線コントローラ２０に対してペアリング要求を行い、無線コントローラ２０はペアリング要求に応答する。これによって、照明器具１と無線コントローラ２０とが互いのアドレスを交換しあいペアリングが成立する。
【００５９】
次に、返信要求に対して応答があった照明器具ｋ台全てにおいてペアリングが終了したかを判断する（Ｓ１７）。ここで、ペアリングを行っていない照明器具が存在すれば（Ｓ１７のＮｏ）、当該照明器具についてステップＳ１５、Ｓ１６を実行する。上記の例では、表示入力部３０ｄ上のアドレス「ＹＹＹ、ＺＺＺ」についてステップＳ１５、Ｓ１６を実行する。照明器具ｋ台全てにおいてペアリングが終了すると（Ｓ１７のＹｅｓ）、照明器具１〜ｋについてのペアリングを終了する。そして、設定装置３０を照明器具１〜ｋとは異なる他の照明器具ｋ＋１〜ｎの付近に移動させ、同様にステップＳ１１〜Ｓ１７を実行する。これらを繰り返すことで、照明器具１〜ｎのペアリング設定を効率的に行うことができる。
【００６０】
［１−４．効果等」
本実施の形態に係る照明システム１００は、複数の照明器具１〜ｎと、複数の照明器具１〜ｎと通信する無線コントローラ２０と、複数の照明器具１〜ｎと無線通信する設定装置３０とを備える。複数の照明器具１〜ｎの各々は、互いに異なるアドレスを有する。設定装置３０は、第一の送信電力でアドレスの返信要求信号を送信する通信部３０ａと、アドレスの返信要求を受信した１以上の照明器具（例えば照明器具１〜ｋ）から返信されたアドレスの合計数である返信アドレス数が目標範囲数以内であるか否かを判断する制御部３０ｃとを備える。制御部３０ｃは、返信アドレス数が目標範囲数以内でない場合に、通信部３０ａに対して、第一の送信電力と異なる第二の送信電力で返信要求信号を送信するように指示し、返信アドレス数が目標範囲数以内である場合に、返信要求に応答した１以上の照明器具１〜ｋと無線コントローラとにペアリングを実行させる。
【００６１】
このように、設定装置３０から送信する返信要求信号の送信電力を異ならせることで、返信要求信号を受信する照明器具１〜ｋの数を変え、照明器具１〜ｋから返信される返信アドレス数を目標範囲数以内とすることができる。これにより、ペアリング設定を行う照明器具１〜ｋの数を目標範囲数以内にすることができ、照明器具１〜ｋと無線コントローラ２０とのペアリング設定を効率的に行うことができる。
【００６２】
また、制御部３０ｃは、返信アドレス数が目標範囲数よりも大きい場合に、第二の送信電力を第一の送信電力よりも小さくして返信要求信号を送信するように指示してもよい。
【００６３】
これによれば、返信アドレス数を確実に目標範囲数以内に近付けることができ、照明器具ｋ＋１〜ｎと無線コントローラ２０とのペアリング設定を効率的に行うことができる。
【００６４】
また、設定装置３０の制御部３０ｃは、返信アドレス数が目標範囲数以内である場合に、返信要求に応答した１以上の照明器具１〜ｋの位置と、１以上の照明器具１〜ｋから返信されたアドレスとの関連付けを行う入力を受け付けた後、通信部３０ａを介して１以上の照明器具１〜ｋに無線コントローラ２０とのペアリングを指示してもよい。
【００６５】
これによれば、照明器具１〜ｋの位置とアドレスとの関連付けが行われた上でペアリングされるので、無線コントローラ２０によって照明装置１〜ｋの点灯制御を行うことが可能となる。
【００６６】
本実施の形態に係る設定装置３０は、互いに異なるアドレスを有する複数の照明器具１〜ｎと無線コントローラ２０とのペアリングを実行させる設定装置３０であって、第一の送信電力でアドレスの返信要求信号を無線で送信する通信部３０ａと、アドレスの返信要求を受信した１以上の照明器具（例えば照明器具１〜ｋ）から返信されたアドレスの合計数である返信アドレス数が目標範囲数以内であるか否かを判断する制御部３０ｃとを備える。制御部３０ｃは、返信アドレス数が目標範囲数以内でない場合に、通信部３０ａに対して、第一の送信電力と異なる第二の送信電力で返信要求信号を送信するように指示し、返信アドレス数が目標範囲数以内である場合に、返信要求に応答した１以上の照明器具１〜ｋと無線コントローラ２０とにペアリングを実行させる。
【００６７】
このように、設定装置３０から送信する返信要求信号の送信電力を異ならせることで、返信要求信号を受信する照明器具１〜ｋの数を変え、照明器具１〜ｋから返信される返信アドレス数を目標範囲数以内とすることができる。これにより、ペアリング設定を行う照明器具１〜ｋの数を目標範囲数以内にすることができ、設定装置３０を用いて効率的に照明器具１〜ｋと無線コントローラ２０とにペアリングを実行させることができる。
【００６８】
本実施の形態に係る照明システム１００のペアリング方法は、各々異なるアドレスを有する複数の照明器具１〜ｎと、複数の照明器具１〜ｎと通信する無線コントローラと、複数の照明器具１〜ｎと無線通信する設定装置３０とを備える照明システム１００のペアリング方法であって、設定装置３０から第一の送信電力でアドレスの返信要求信号を送信し、複数の照明器具１〜ｎのうちアドレスの返信要求を受信した１以上の照明器具（例えば照明器具１〜ｋ）は、自身のアドレスを設定装置３０に返信し、設定装置３０は、返信されたアドレスの合計数である返信アドレス数が目標範囲数以内でない場合に、第一の送信電力と異なる第二の送信電力で返信要求信号を送信し、返信アドレス数が目標範囲数以内である場合に、返信要求に応答した１以上の照明器具１〜ｋに無線コントローラ２０とのペアリングを指示し、ペアリングの指示を受けた１以上の照明器具１〜ｋは、無線コントローラ２０とのペアリングを実行する。
【００６９】
このように、返信要求信号の送信電力を異ならせることで、返信要求信号を受信する照明器具１〜ｋの数を変え、照明器具１〜ｋから返信される返信アドレス数を目標範囲数以内とすることができる。これにより、ペアリング設定を行う照明器具１〜ｋの数を目標範囲数以内にすることができ、照明器具１〜ｋと無線コントローラ２０とのペアリング設定を効率的に行うことができる。
【００７０】
［１−５．実施の形態１の変形例１および２］
図９は、実施の形態１の変形例１における電波送信電力および返信アドレス数の一例を示す図である。図９を参照しながら、返信アドレス数が目標範囲数以内に収まるまで電波送信電力を段階的に大きくする例について説明する。
【００７１】
図９に示すように、１回目に返信要求を行うときは、送信可能な電力の最小値である０．１ｍＷの電波送信電力で返信要求信号を送る。この場合、照明器具からの返信アドレス数は０個であり、目標範囲（目標数＝１〜３個）内でないためＮＧ判定される。そこで、次に返信要求を行うときには、電波送信電力が段階的に大きくなるように変更する。この例では、３回目に０．３ｍＷの電波送信電力で返信要求信号を送ったときに、返信アドレス数が目標範囲数以内となってＧ判定されている。
【００７２】
図１０は、実施の形態１の変形例２における電波送信電力および返信アドレス数の一例を示す図である。図１０を参照しながら、返信アドレス数が目標範囲数以内に収まるまで電波送信電力の高低差を徐々に小さくする例について説明する。
【００７３】
図１０に示すように、１回目に返信要求を行うときは、送信可能な電力の中央値である１０ｍＷの電波送信電力で返信要求信号を送る。この場合、照明器具からの返信アドレス数は３０個であり、目標範囲（目標数＝１〜３個）内でないためＮＧと判定される。この場合、返信アドレス数が多かったので、次の２回目〜６回目で返信要求を行うときには１回目よりも電波送信電力を小さくし、かつ、電波送信電力の高低差が徐々に小さくなるように変更する。この例では、６回目に０．３ｍＷの電波送信電力で返信要求信号を送ったときに、返信アドレス数が目標範囲数以内となってＧ判定されている。
【００７４】
実施の形態１、変形例１および変形例２では、設定装置３０の制御部３０ｃは、複数の照明器具１〜ｎのうちペアリングが実行されていない照明器具１〜ｋに対して１回目の返信要求を行う場合に、予め決められた規定値の送信電力で、返信要求信号を送信するように通信部３０ａに指示する。
【００７５】
これによれば、１回目に送信する返信要求信号の送信電力を容易に決定することができ、照明器具１〜ｋと無線コントローラ２０とのペアリング設定を効率的に行うことができる。
【００７６】
［１−６．実施の形態１の変形例３］
実施の形態１の変形例３では、過去の送信電力と同じ送信電力で返信要求信号を送信する例について説明する。図１１Ａは、実施の形態１の変形例３の設定装置３０を用いて、第一の電波送信電力で照明器具ｋ＋１〜ｎに信号を送信する様子を示す図である。
【００７７】
変形例３では、照明器具１〜ｋのペアリングを終えた後、図１１Ａに示すように、設定装置３０を照明器具ｋ＋１〜ｎの付近に移動させる。そして、返信要求信号を送信する際の電波送信電力を決定する（Ｓ１１）。照明器具ｋ＋１〜ｎは、まだペアリングが実行されていない。
【００７８】
ここで設定装置３０の制御部３０ｃは、照明器具ｋ＋１〜ｎに対してペアリング設定を行うための１回目の返信要求を行う場合に、返信アドレス数が目標範囲数以内になった過去の送信電力と同じ送信電力で、返信要求信号を送信するように決定する。電波送信電力は、照明器具１〜ｋについて返信アドレス数が目標範囲数以内になったときの送信電力と同じであり、例えば０．３ｍＷに決定される。
【００７９】
次に、ステップＳ１１で決定した電波送信電力で、照明器具ｋ＋１〜ｎにアドレスの返信要求信号を送信する（Ｓ１２）。複数の照明器具１〜ｎのうち返信要求信号を受信した各照明器具ｋ＋１〜ｎは、自身のアドレスを設定装置３０に返信し、設定装置３０の制御部３０ｃは、各照明器具ｋ＋１〜ｎからの応答を受信する（Ｓ１３）。設定装置３０の制御部３０ｃは、返信アドレス数をカウントし、返信アドレス数が目標範囲数以内であるか否かを判断する（Ｓ１４）。
【００８０】
図１１Ｂは、実施の形態１の変形例３における電波送信電力および返信アドレス数の一例を示す図である。図１１Ｂに示すように、１回目に返信要求を行うときは、返信アドレス数が目標範囲数以内となった過去の送信電力と同じ０．３ｍＷの電波送信電力で返信要求信号を送る。この例では、１回目で返信アドレス数が目標範囲数以内となってＧ判定されている。
【００８１】
上記変形例３では、設定装置３０の制御部３０ｃは、複数の照明器具１〜ｎのうちペアリングが実行されていない照明器具ｋ＋１〜ｎに対して１回目の返信要求を行う場合に、返信アドレス数が目標範囲数以内になった過去の送信電力と同じ送信電力で、返信要求信号を送信するように通信部３０ａに指示する。
【００８２】
これによれば、少ない回数で返信アドレス数を目標範囲数以内とすることができ、照明器具ｋ＋１〜ｎと無線コントローラ２０とのペアリング設定を効率的に行うことができる。
【００８３】
（実施の形態２）
図１２〜図１５を参照しながら、実施の形態２に係る照明システム１００Ａについて説明する。実施の形態２の照明システム１００Ａでは、１回目に送信する電波送信電力を決定するために、建物内における照明システム１００Ａの敷設情報を用いる。
【００８４】
図１２は、照明システム１００Ａのペアリング方法の一例を示すシーケンス図である。図１３は、設定装置３０に表示される照明システム１００Ａの敷設情報を示す図である。図１４は、照明システム１００Ａの敷設情報と電波送信電力との関係式を示す図である。
【００８５】
図１２に示すように、まず、設定装置３０を照明器具１〜ｋの付近に移動させる。次に、設定装置３０に照明システム１００Ａの敷設情報を入力する。具体的には図１３に示すように、照明システム１００Ａの敷設情報である、床面を基準とする天井面の高さ、隣り合う照明器具間の距離、および、照明器具の周辺における障害物の有無などを入力する。この例では、天井面の高さが３．５ｍ、照明器具間の距離が１．５ｍ、障害物が有り、という照明器具１〜ｋの敷設情報が入力される。これらの敷設情報が入力された後、表示入力部３０ｄ上に示された「電波送信電力算出」のアイコンをタッチすることで、返信要求信号の電波送信電力を算出する。
【００８６】
ここで、電波送信電力を算出する一例について説明する。設定装置３０の制御部３０ｃには、図１４に示すような、照明システム１００Ａの敷設情報と、設定装置３０から送信すべき電波送信電力との関係を示す関係式が予め保存されている。
【００８７】
図１４の（ａ）は、天井面の高さと電波送信電力との関係式を示すグラフである。この関係式から、例えば、現状の天井面の高さがｘ１（ｍ）である場合、返信アドレス数を目標範囲数以内とするために必要な電波送信電力はｙ１（ｍＷ）であることが導出される。図１４の（ｂ）は、照明器具間の距離と電波送信電力との関係式を示すグラフである。この関係式から、例えば、現状の照明器具間の距離がｘ２（ｍ）である場合、返信アドレス数を目標範囲数以内とするために必要な電波送信電力はｙ２（ｍＷ）であることが導出される。図１４の（ｃ）は、照明器具の周辺の障害物の有無と電波送信電力との関係式を示す表である。この関係式から、例えば、照明器具の周囲に障害物が存在する場合は、電波送信電力としてｃ１＝０．１（ｍＷ）加算すべきであることが導出される。なお、この関係式は、障害物が有（１）のときの電波送信電力が０．１ｍＷであり、障害物が無（０）のときの電波送信電力が０であるという関係から成り立つ式である。
【００８８】
次に、各関係式に、現状の敷設情報を入力することで導出されたそれぞれの値を、例えば以下に示す（式１）に代入することで、返信要求信号の電波送信電力を算出する。例えば、ｙ１＝０．３ｍＷ、ｙ２＝０．１ｍＷ、ｃ１＝０．１ｍＷであれば、返信要求信号の電波送信電力は、０．３ｍＷであると算出される。
【００８９】
電波送信電力＝（ｙ１＋ｙ２）／２＋ｃ１・・・（式１）
【００９０】
上記のようにして電波送信電力を決定し（Ｓ１１）、決定した電波送信電力で、照明器具１〜ｎに返信要求信号を送信する（以下、図５と同様）。
【００９１】
図１５は、実施の形態２の照明システム１００Ａにおける電波送信電力および返信アドレス数の一例を示す図である。図１５を参照しながら、返信アドレス数が目標範囲数以内に収まるまで電波送信電力を変更する例について説明する。
【００９２】
図１５に示すように、１回目に返信要求を行うときは、上記の（式１）から求めた値である０．３ｍＷの電波送信電力で返信要求信号を送る。この場合、照明器具からの返信アドレス数は４個であり、目標範囲（目標数＝１〜３個）内でないためＮＧ判定される。この例では、２回目で電波送信電力を小さくし、０．２ｍＷの電波送信電力で返信要求信号を送ったときに、返信アドレス数が目標範囲数以内となってＧ判定されている。
【００９３】
実施の形態２では、設定装置３０の制御部３０ｃは、複数の照明器具１〜ｎのうちペアリングが実行されていない照明器具１〜ｎに対して１回目の返信要求を行う場合に、予め保有している照明システム１００Ａの敷設情報と、返信アドレス数を目標範囲数以内とするために必要な送信電力との関係を示す関係式に、現状の照明システム１００Ａの敷設情報を入力することで求めた送信電力で、返信要求信号を送信するように通信部３０ａに指示する。
【００９４】
これによれば、１回目に送信する返信要求信号の送信電力を適切に決定することができ、照明器具１〜ｎと無線コントローラ２０とのペアリング設定を効率的に行うことができる。
【００９５】
（実施の形態２の変形例）
実施の形態２の変形例では、電波送信電力を算出する他の一例について説明する。
【００９６】
図１６は、返信アドレス数の目標数と電波送信電力との関係式を示すグラフである。設定装置３０の制御部３０ｃには、図１６に示すような返信アドレス数の目標数と、設定装置３０から送信すべき電波送信電力との関係を示す関係式が予め保存されている。
【００９７】
この関係式から、例えば、希望とする返信アドレス数の目標数がｘ３（個）である場合、その目標数とするために必要な電波送信電力はｙ３（ｍＷ）であることが導出される。本変形例では、例えば、希望とする目標数が３個で、そのために必要な電波送信電力は０．３ｍＷであると算出される。このようにして電波送信電力を決定し（Ｓ１１）、照明器具１〜ｎに返信要求信号を送信する。
【００９８】
図１７は、変形例の照明システム１００Ａにおける電波送信電力および返信アドレス数の一例を示す図である。図１７を参照しながら、返信アドレス数が目標範囲数以内に収まるまで電波送信電力を変更する例について説明する。
【００９９】
図１７に示すように、１回目に返信要求を行うときは、上記の関係式から求めた値である０．３ｍＷの電波送信電力で返信要求信号を送る。この場合、照明器具からの返信アドレス数は４個であり、目標範囲（目標数＝１〜３個）内でないためＮＧ判定される。この例では、２回目で電波送信電力を小さくし、０．２ｍＷの電波送信電力で返信要求信号を送ったときに、返信アドレス数が目標範囲数以内となってＧ判定されている。
【０１００】
実施の形態２の変形例では、設定装置３０の制御部３０ｃは、複数の照明器具１〜ｎのうちペアリングが実行されていない照明器具１〜ｎに対して１回目の返信要求を行う場合に、予め保有している返信アドレス数の目標数と、返信アドレス数を目標数とするために必要な送信電力との関係を示す関係式に、希望とする目標数を入力することで求めた送信電力で、返信要求信号を送信するように通信部３０ａに指示する。
【０１０１】
これによれば、１回目に送信する返信要求信号の送信電力を適切に決定することができ、照明器具１〜ｎと無線コントローラ２０とのペアリング設定を効率的に行うことができる。
【０１０２】
（実施の形態３）
図１８を参照しながら、実施の形態３に係る照明システム１００Ｂについて説明する。実施の形態３は、電波送信電力を求める関係式の更新を行う形態である。
【０１０３】
図１８は、照明システム１００Ｂのペアリング方法の一例を示すシーケンス図である。図１９は、照明システム１００Ｂにおいて、敷設情報に基づく電波送信電力と実際の返信アドレス数との実績から実施の形態２の関係式を更新する例を示す図である。
【０１０４】
図１８において、電波送信電力を再決定した（Ｓ１１）後、照明器具１〜ｋからの応答を受ける（Ｓ１３）までは、実施の形態１と同様である。実施の形態３では、ステップＳ１４にて返信アドレス数が目標範囲数以内となったときに、前述した関係式の更新を行う。
【０１０５】
図１９の（ａ）には、返信アドレス数が目標範囲数以内となった場合の実績として各敷設情報および電波送信電力が示されており、図１９の（ｂ）には、（ａ）の実績に基づいて関係式の更新を行う様子が示されている。例えば、図１９の（ａ）に示す、天井面の高さ３．５ｍ、照明器具間の距離１．５ｍで、電波送信電力が０．２ｍＷの場合に、返信アドレス数が目標範囲数以内になったという実績を用いて、図１９の（ｂ）に示すように、天井面の高さと電波送信電力との関係式および照明器具間の距離と電波送信電力との関係式を更新する。更新されたこれらの関係式は、設定装置３０の制御部３０ｃに保存され、次回の電波送信電力の算出時に用いられる。
【０１０６】
実施の形態３では、設定装置３０の制御部３０ｃは、入力した照明システム１００Ｂの敷設情報と、返信アドレス数が目標範囲数以内になった際の送信電力との実績に基づいて、実施の形態２に示した上記関係式を更新する。
【０１０７】
これによれば、ペアリング設定を行う現場状況に合わせて、電波送信電力を決定することができる。これにより、１回目に送信する返信要求信号の送信電力を適切に決定することができ、照明器具１〜ｎと無線コントローラ２０とのペアリング設定を効率的に行うことができる。
【０１０８】
（実施の形態３の変形例）
図２０を参照しながら、実施の形態３の変形例に係る照明システム１００Ｂについて説明する。図２０は、照明システム１００Ｂにおいて、返信アドレス数の目標数に基づく電波送信電力と実際の返信アドレス数との実績から実施の形態２の変形例の関係式を更新する例を示す図である。
【０１０９】
図２０の（ａ）には、返信アドレス数が目標範囲数以内となった場合の実績として、目標数および電波送信電力が示されており、図２０の（ｂ）には、（ａ）の実績に基づいて関係式の更新を行う様子が示されている。例えば、図２０の（ａ）に示す、目標数が３個でかつ電波送信電力が０．２ｍＷの場合に、返信アドレス数が目標範囲数以内になったという実績を用いて、図２０の（ｂ）に示すように、返信アドレス数の目標値と電波送信電力との関係式を更新する。更新されたこれらの関係式は、設定装置３０の制御部３０ｃに保存され、次回の電波送信電力の算出時に用いられる。
【０１１０】
実施の形態３の変形例では、設定装置３０の制御部３０ｃは、入力した目標数と、返信アドレス数が目標範囲数以内になった際の送信電力との実績に基づいて、実施の形態２に示した上記関係式を更新する。
【０１１１】
これによれば、ペアリング設定を行いやすい適度な返信アドレス数を目標範囲とすることができる。これにより、照明器具１〜ｎと無線コントローラ２０とのペアリング設定を効率的に行うことができる。
【０１１２】
（実施の形態４）
図２１および図２２を参照しながら、実施の形態４に係る照明システム１００Ｃについて説明する。照明システム１００Ｃの照明器具１〜ｎは、受信した返信要求信号の電波強度が弱い場合に、設定装置３０にアドレスを返信しない構成となっている。
【０１１３】
照明器具１〜ｎの制御部１０ｃのそれぞれは、電波強度（例えばRSSI：Received  Signal  Strength  Indicator）を計測する計測部を有している。この計測部は、設定装置３０から送信された返信要求信号に基づいて、返信要求信号そのものの電波強度を計測する。また、制御部１０ｃには、電波強度のしきい値が保存されている。制御部１０ｃは、返信要求信号の電波強度がしきい値よりも小さい場合にアドレスを返信せず、電波強度がしきい値以上である場合にアドレスを返信する。
【０１１４】
図２１は、照明システム１００Ｃのペアリング方法の一例を示すシーケンス図である。図２１において、電波送信電力を再決定した（Ｓ１１）後、返信要求信号を送信する（Ｓ１２）までは、実施の形態１と同様である。
【０１１５】
照明システム１００Ｃでは、図２１に示すように、照明器具１〜ｋのうち照明器具ｋが受信した返信要求信号の電波強度が、しきい値よりも小さいため、照明器具ｋからは設定装置３０にアドレスが返信されていない。このように照明システム１００Ｃでは、照明器具１〜ｎ自身が電波強度の強弱によって、アドレスの返信有無を判断する。これによって、設定装置３０にてカウントされる返信アドレス数が必要以上に多くなることを抑制している。
【０１１６】
図２２は、照明システム１００Ｃにおける電波送信電力および返信アドレス数の一例を示す図である。図２２を参照しながら、返信アドレス数が目標範囲数以内に収まるまで電波送信電力を変更する例について説明する。
【０１１７】
図２２に示すように、１回目に返信要求を行うときは、１ｍＷの電波送信電力で返信要求信号を送る。この場合、照明器具からの返信アドレス数は５個であり、目標範囲（目標数＝１〜３個）内でないためＮＧ判定される。この例では、２回目で電波送信電力を小さくし、０．５ｍＷの電波送信電力で返信要求信号を送ったときに、返信アドレス数が目標範囲数以内となってＧ判定されている。
【０１１８】
実施の形態４において、照明器具１〜ｎは、上記返信要求信号を受信する通信部１０ａと、返信要求信号の電波強度がしきい値以上であるか否かを判断する制御部１０ｃとを備え、照明器具１〜ｎの制御部１０ｃは、電波強度が前記しきい値以上である場合に、照明器具１〜ｎの通信部１０ａを介して、アドレスを設定装置３０に返信する。
【０１１９】
これによれば、返信アドレス数が多くなり過ぎることを抑制でき、照明器具１〜ｎと無線コントローラ２０とのペアリング設定を効率的に行うことができる。
【０１２０】
（その他の形態）
以上、照明システム、設定装置および照明システムのペアリング方法について、実施の形態および変形例に基づいて説明したが、本発明は、上記の実施の形態および変形例に限定されるものではない。例えば、上記の実施の形態および変形例に対して当業者が思いつく各種変形を施して得られる形態や、本発明の趣旨を逸脱しない範囲で実施の形態における構成要素および機能を任意に組み合わせることで実現される形態も本発明に含まれる。
【０１２１】
例えば、実施の形態１では、設定装置３０を照明器具１〜ｋの付近に移動させてから電波送信電力を決定しているが、それに限られず、先に電波送信電力を決定してから設定装置３０を照明器具１〜ｋの付近に移動させてもよい。
【０１２２】
また、実施の形態１のステップＳ１５〜Ｓ１７（図４および図５参照）では、照明器具１のペアリングを行った後に、次の照明器具ｋのアドレスをマッピングし、その後、ペアリングを行っているが、その順序に限られない。例えば、先に各照明器具１〜ｋのアドレスのマッピングを行い、その後に各照明器具１〜ｋに関するペアリングを行ってもよい。
【０１２３】
また、実施の形態１のステップＳ１６では、設定装置３０から照明器具１〜ｋに対して無線コントローラ２０とのペアリングを行うように指示信号を送信しているが、それに限られず、設定装置３０から無線コントローラ２０に対して照明器具１〜ｋとのペアリングを行うように指示信号を送信してもよい。その場合、無線コントローラ２０へ送る指示信号の送信電力を大きくしてから送信してもよい。
【０１２４】
また、実施の形態１では、返信アドレス数の目標範囲を１以上ｋ以下としているが、それに限られず、目標範囲は２以上ｋ以下であってもよい。その場合、複数の照明器具１〜ｎのうち最後の照明器具にペアリング設定する際に、返信アドレス数の目標範囲を１以上ｋ以下とすればよい。
【符号の説明】
【０１２５】
１、ｋ、ｋ＋１、ｎ  照明器具
１０ａ  通信部
１０ｃ  制御部
２０    無線コントローラ
３０    設定装置
３０ａ  通信部
３０ｃ  制御部
１００、１００Ａ、１００Ｂ、１００Ｃ  照明システム
ｒ１、ｒ２、ｒ３  無線
【図１】
2019032943.tif 000003
【図２】
2019032943.tif 000004
【図３】
2019032943.tif 000005
【図４】
2019032943.tif 000006
【図５】
2019032943.tif 000007
【図６Ａ】
2019032943.tif 000008
【図６Ｂ】
2019032943.tif 000009
【図７】
2019032943.tif 000010
【図８】
2019032943.tif 000011
【図９】
2019032943.tif 000012
【図１０】
2019032943.tif 000013
【図１１Ａ】
2019032943.tif 000014
【図１１Ｂ】
2019032943.tif 000015
【図１２】
2019032943.tif 000016
【図１３】
2019032943.tif 000017
【図１４】
2019032943.tif 000018
【図１５】
2019032943.tif 000019
【図１６】
2019032943.tif 000020
【図１７】
2019032943.tif 000021
【図１８】
2019032943.tif 000022
【図１９】
2019032943.tif 000023
【図２０】
2019032943.tif 000024
【図２１】
2019032943.tif 000025
【図２２】
2019032943.tif 000026